(57)【要約】【課題】使用者がより便利でありながら、かつ速かに、飲み物製品を容器に入れた後、飲用可能な飲み物用カップ蓋および飲み物用カップを提供する。【解決手段】上側が開口され、内部の収容空間を有する容器１００と、容器１００の上側に着脱可能に取り付けられ、飲み物製品２００が収容できるように収容溝３１０が設けられる蓋３００と、収容溝３１０に着脱可能に取り付けられるギャップと、を備える飲み物用カップ、および、収容溝３１０に着脱可能に取り付けられるギャップを含み、周縁領域には、段差を有する段差溝３２０が設けられ、収容溝３１０は段差溝３２０の底面に形成され、ギャップには、段差溝３２０を形成する段差部３３０の上側方向に向けて延びるように取っ手が一体に設けられる飲み物用カップ蓋。【選択図】図２
2014043277.tif 000002
【特許請求の範囲】
【請求項１】
上側が開口され、内部の収容空間を有する容器と、
前記容器の上側に着脱可能に取り付けられ、飲み物製品が収容できるように収容溝が設けられる蓋と、
前記収容溝に着脱可能に取り付けられるギャップと、を備える飲み物用カップ。
【請求項２】
前記蓋には周縁に対して一定の段差を有する段差溝が設けられ、前記収容溝は前記段差溝の底面に形成される請求項１に記載の飲み物用カップ。
【請求項３】
前記ギャップに、前記段差溝を形成する段差部の上側方向に向けて延びるように取っ手が一体に設けてある請求項２に記載の飲み物用カップ。
【請求項４】
前記ギャップが前記収容溝に取り付けられた状態で、前記取っ手を、前記段差部の上面との間に一定の離隔距離を生ずるように前記段差部の上側に配置する請求項３に記載の飲み物用カップ。
【請求項５】
前記蓋が、前記容器に取り付けられた状態で、前記容器内の内容物を外部に排出可能な飲み物排出口が設けてある請求項１に記載の飲み物用カップ。
【請求項６】
前記蓋および前記ギャップは、一定以上の弾性を有するプラスチック材質からなる請求項１に記載の飲み物用カップ。
【請求項７】
前記収容溝は、三角形、四角形の断面を有する四面体、直六面体、正六面体のいずれかの形状に形成されるか、或いは球形に形成される請求項１に記載の飲み物用カップ。
【請求項８】
内部の収容空間を有する容器の上側に取り付ける飲み物用カップ蓋であって、
前記容器の上側に着脱可能に取り付けられ、飲み物製品が収容できるように収容溝が設けられ、前記収容溝に着脱可能に取り付けられるギャップを含み、
周縁領域には、段差を有する段差溝が設けられ、前記収容溝は前記段差溝の底面に形成され、前記ギャップには、前記段差溝を形成する段差部の上側方向に向けて延びるように取っ手が一体に設けられる飲み物用カップ蓋。
【請求項９】
前記ギャップが前記収容溝に取り付けられた状態で、前記取っ手を、前記段差部の上面との間に一定の離隔距離を生ずるように前記段差部の上側に配置する請求項８に記載の飲み物用カップ蓋。
【請求項１０】
前記収容溝は、三角形、四角形の断面を有する四面体、直六面体、正六面体のいずれかの形状に形成されるか、或いは球形に形成される請求項８に記載の飲み物用カップ蓋。
【発明の詳細な説明】
【技術分野】
【０００１】
本発明は、飲み物用カップ蓋および飲み物用カップに関し、より詳細には、蓋に包装状態の飲み物製品を収容できる別途の収容空間が設けられ、蓋と飲み物製品が、実質的に一体になった状態を提供することによって、使用者がより便利でありながら、かつ速かに、飲み物製品を容器に入れた後、飲用可能な飲み物用カップ蓋および飲み物用カップに関するものである。
【背景技術】
【０００２】
一般的に、カップは、液状の水または飲み物をより容易に摂取するために考案された容器であり、セラミックス、金属、合成樹脂などの材料を主成分として製造されている。
【０００３】
従来は、飲み物用カップと、飲み物製品（例えばコーヒーや各種茶類など）とが別途に分けられているので、使用に不便なところがあった。具体的に、使用者は、別途の包装パックに包装されたり、容器に込められた液状または粉末コーヒーなどをカップに取り出した後、水を注いで、飲用した。
【０００４】
しかし、このような構成は、カップと飲み物製品とが別々に分けられているため、使用者が、飲み物製品を得るために飲み物製品が置かれた場所へある程度移動せざるを得なかったので、迅速かつ便利に利用するのに不都合があった。
【発明の概要】
【発明が解決しようとする課題】
【０００５】
本発明の目的は、蓋に、包装された状態の飲み物製品を収容できる別途の収容空間を設けて、蓋および飲み物製品が実質的に一体形成された状態を提供することによって、使用者がより便利でありながら、かつ速かに、飲み物製品を容器に入れた後、飲用可能な飲み物用カップ蓋および飲み物用カップを提供することである。
【０００６】
本発明の解決課題は、上述したことに限定されず、触れられていない他の解決課題などは、下記のことから当業者にとっては明らかに分かるはずである。
【課題を解決するための手段】
【０００７】
上記目的を達成するための本発明に係る飲み物用カップの第一特徴構成は、上側が開口され、内部の収容空間を有する容器と、前記容器の上側に着脱可能に取り付けられ、飲み物製品が収容できるように収容溝が設けられる蓋と、前記収容溝に着脱可能に取り付けられるギャップと、を備えた点にある。
【０００８】
本発明に係る飲み物用カップの第二特徴構成は、前記蓋には周縁に対して一定の段差を有する段差溝が設けられ、前記収容溝は前記段差溝の底面に形成される点にある。
【０００９】
本発明に係る飲み物用カップの第三特徴構成は、前記ギャップに、前記段差溝を形成する段差部の上側方向に向けて延びるように取っ手を一体に設けた点にある。
【００１０】
本発明に係る飲み物用カップの第四特徴構成は、前記ギャップが前記収容溝に取り付けられた状態で、前記取っ手を、前記段差部の上面との間に一定の離隔距離を生ずるように前記段差部の上側に配置する点にある。
【００１１】
本発明に係る飲み物用カップの第五特徴構成は、前記蓋が、前記容器に取り付けられた状態で、前記容器内の内容物を外部に排出可能な飲み物排出口を設けた点にある。
【００１２】
本発明に係る飲み物用カップの第六特徴構成は、前記蓋および前記ギャップが、一定以上の弾性を有するプラスチック材質からなる点にある。
【００１３】
本発明に係る飲み物用カップの第七特徴構成は、前記収容溝を、三角形、四角形の断面を有する四面体、直六面体、正六面体中のいずれかの形状に形成するか、或いは球形に形成した点にある。
【００１４】
本発明に係る飲み物用カップ蓋の第一特徴構成は、内部の収容空間を有する容器の上側に取り付ける飲み物用カップ蓋であって、前記容器の上側に着脱可能に取り付けられ、飲み物製品が収容できるように収容溝が設けられ、前記収容溝に着脱可能に取り付られるギャップを含み、周縁領域には、段差を有する段差溝が設けられ、前記収容溝は前記段差溝の底面に形成され、前記ギャップには、前記段差溝を形成する段差部の上側方向に向けて延びるように取っ手が一体に設けられた点にある。
【００１５】
本発明に係る飲み物用カップ蓋の第二特徴構成は、前記ギャップが前記収容溝に取り付けられた状態で、前記取っ手を、前記段差部の上面との間に一定の離隔距離を生ずるように前記段差部の上側に配置する点にある。
【００１６】
本発明に係る飲み物用カップ蓋の第三特徴構成は、前記収容溝を、三角形、四角形の断面を有する四面体、直六面体、正六面体のいずれかの形状に形成するか、或いは球形に形成した点にある。
【発明の効果】
【００１７】
本発明の実施形態に係る飲み物用カップ蓋および飲み物用カップによれば、次のような効果を奏する。
第一に、蓋に、飲み物製品が収容できるように収容溝が設けられ、実質的に、蓋と飲み物製品を一体に形成することによって、使用者が難なく用いることができる。
第二に、ギャップに取っ手が設けられることによって、使用者が、難なくギャップを開放できる利点がある。
本発明の効果は、上述したことに限定されず、触れられていない他の効果などは、下記のことから当業者にとっては明らかに分かるはずである。
【図面の簡単な説明】
【００１８】
【図１】本発明の実施例に係る飲み物用カップを示す概略図である。
【図２】図１においてギャップが取り外された状態を示す概略図である。
【図３】本発明の実施例に係る飲み物用カップ蓋を示す概略図である。
【図４】本発明の実施例に係る飲み物用カップ蓋を示す概略図である。
【図５】本発明の実施例に係る飲み物用カップ蓋を示す概略図である。
【図６】本発明の実施例に係る飲み物用カップ蓋からギャップが取り外された状態を示す概略図である。
【図７】図６の側断面図である。
【発明を実施するための形態】
【００１９】
以下、添付された図面を参照して、本発明の実施例をより詳細に説明する。ところで、本発明は、以下に開示される実施例に限定されるものではなく、異なる様々な形態で具現されることもあり、単に本実施例は、本発明の開示を完全にしながら、通常の知識を有する者に発明の範疇を完全に知らせるために提供されるものである。図面において同一符号は、同じ要素を指す。
【００２０】
本発明の好ましい一実施例に係る飲み物用カップは、飲み物製品を収容可能に別途の収容空間が設けられ、使用者が容易に飲み物製品を飲用することができるようにするものである。
【００２１】
図１は、本発明の実施例に係る飲み物用カップを示す図、図２は、図１においてギャップが取り外された状態を示す図、図３ないし図５は、本発明の実施例に係る飲み物用カップ蓋を示す図、図６は、本発明の実施例に係る飲み物用カップ蓋からギャップが取り外された状態を示す図面であり、図７は、図６の側断面図である。
【００２２】
図１および図２に示したように、本発明の実施例に係る飲み物用カップは、上側が開口され、内部の収容空間を有する容器（１００）と、容器（１００）の上側に着脱可能に取り付けられ、飲み物製品（２００）を収容可能に収容溝（３１０）が設けられる蓋（３００）と、収容溝（３１０）に着脱可能に取り付けられるギャップ（４００）と、を備える。
【００２３】
本実施例において、容器（１００）は、一定以上の収容空間を有するように形成され、上側が開口された形状に形成される。このような容器（１００）は、紙、磁器、プラスチックなどの半透明または不透明な材質から形成することができる。
【００２４】
蓋（３００）は、容器（１００）の上側に着脱可能に取り付けられる。このような蓋（３００）は、容器（１００）との取り付けを容易にするように一定以上の弾性を有するプラスチック材質からなることが好ましい。一方、ギャップ（４００）が蓋（３００）に取り付けられた状態を本実施例では蓋（３００）とすることもできる。
【００２５】
本実施例において、図３に示したように、蓋（３００）には飲み物製品（２００）を収容可能に収容溝（３１０）が設けられる。なお、図３ないし図６に示したように、蓋（３００）には周縁に対して一定の段差を有する段差溝（３２０）が設けられ、収容溝（３１０）は、段差溝（３２０）の中央領域または周縁近くの領域の底面に形成される。因みに、蓋（３００）の周縁周りには、段差溝（３２０）を形成するように段差部（３３０）が突出するように形成される。
【００２６】
関連図面において、収容溝（３１０）は、円形の断面を有するもので示されたが、必ずしもこれに限定されるとは言い切れない。例えば、収容溝（３１０）は、三角形、四角形の断面を有する四面体、直六面体、正六面体形状に形成することもできるが、球形を有するようにすることもできる。
【００２７】
一方、ここで‘飲み物製品’というのは、コーヒー（液状形態、粉末形態）、各種茶類（紅茶、高麗人参茶、ゆず茶、緑茶など）が真空包装などの方法を通して、包装された状態の製品を意味する。さらに、これに限定されず、飲み物製品（２００）は、使用者が製品そのままに飲用したり、水を入れ混合して飲用できる、すべての液状或いは粉末状の製品を意味する。また、飲み物製品（２００）は、包装された状態の製品として、四面体、直六面体、正六面体、球形、ビニール袋形態などの様々な形状で適用可能である。
【００２８】
本実施例において、収容溝（３１０）の内部空間は、前記飲み物製品を十分に収容できる程度の容積を有することが好ましく、図４、図５および図７に示したように、収容溝（３１０）の底面は、段差溝（３２０）の底面を基準として下側方向に一定距離離れた位置に設けられる。
【００２９】
すなわち、図５に示したように、蓋（３００）とギャップ（４００）が取り付けられた状態で、蓋（３００）の上面に対するギャップ（４００）の突出高さを最小化することで、飲み物用カップの全体サイズをよりコンパクト化することができる利点がある。
【００３０】
さらに、蓋（３００）には、飲み物排出口（３４０）が設けられる。これによって、蓋（３００）が容器（１００）に取り付けられた状態で、容器（１００）内の内容物、すなわち、後述するが、液状状態（既存液状でも水との混合によって液状化されたものも含む）の前記飲み物製品が、外部に排出可能になる。使用者は、飲み物排出口（３４０）にストローをさして、飲み物を飲用することができる。
【００３１】
図３および図５に示したように、本実施例において、ギャップ（４００）は、収容溝（３１０）に着脱可能に取り付けられるものであって、収容溝（３１０）に着脱容易に蓋（３００）と同様に一定以上の弾性を有するプラスチック材からなることが好ましい。
【００３２】
一方、このようなギャップ（４００）は、収容溝（３１０）にプッシュなどの方式を通して取り付けられ、分離しようとする際に使用者は、ギャップ（４００）の一方側を手で掴んだ後ギャップ（４００）を上側に持ち上げて、収容溝（３１０）から分離させなければならない。ここで、使用者が指を利用して、ギャップ（４００）をしっかりと掴めない場合、ギャップ（４００）を簡単に分離するのが難しい短所が発生するおそれがある。
【００３３】
これを補完するために、図３および図５に示したように、ギャップ（４００）の一方側には、使用者が手で簡単に掴めるように取っ手（４１０）が設けられることが好ましい。
【００３４】
具体的に、取っ手（４１０）は、ギャップ（４００）の一方側から段差溝（３２０）を形成する段差部（３３０）の上側方向に向けて延びるように設けられる。ここで、図５に示したように、ギャップ（４００）が収容溝（３１０）に取り付けられた状態で、取っ手（４１０）は、段差部（３３０）の上面との間に一定の離隔距離を生ずるように段差部（３３０）の上側に位置することが好ましい。したがって、使用者は、この生じた空間に指などを挿入して、取っ手（４１０）を掴んだ状態で上側に反らすことでギャップ（４００）を難なく分離できるようになる。
【００３５】
以下、本発明の実施例に係る飲み物用カップ蓋および飲み物用カップの使用状態について説明する。
【００３６】
まず、収容溝（３１０）内には、包装状態の飲み物製品（２００）がすでに受容されている。なお、飲み物製品は、ビニール包装或いはケース包装された状態で形成される。また、飲み物製品の内容物は、液状或いは粉末状のコーヒー、各種茶類などが適用できる。
使用者は、ギャップ（４００）を開放し、飲み物製品（２００）を取り出した後、包装を開封して内容物を容器（１００）内部に収容させる。次いで、必要により容器（１００）内部に水を加えて、飲み物製品の内容物と混合してから飲用することができる。
【００３７】
要するに、本実施例は、蓋（３００）に、包装された状態の飲み物製品（２００）を収容できる別途の収容空間を設けて、蓋（３００）と飲み物製品（２００）とが実質的に一体に形成された状態を提供することによって、使用者がより便利でありながら、かつ速かに、飲み物製品を容器（１００）に収容した後、飲用できる利点がある。
【００３８】
本発明を添付図面と前述された好ましい実施例を参照して説明したが、本発明は、それに限定されず、後述される特許請求範囲によって限定される。したがって、本技術分野の通常の知識を有する者であれば、後述される特許請求範囲の技術的思想から外れない範囲内で、本発明を多様に変形および修正することができる。
【符号の説明】
【００３９】
１００    容器
２００    飲み物製品
３００    蓋
３１０    収容溝
３２０    段差溝
３３０    段差部
３４０    飲み物排出口
４００    ギャップ
４１０    取っ手
【図１】
2014043277.tif 000003
【図２】
2014043277.tif 000004
【図３】
2014043277.tif 000005
【図４】
2014043277.tif 000006
【図５】
2014043277.tif 000007
【図６】
2014043277.tif 000008
【図７】
2014043277.tif 000009